(57)【要約】【課題】内部が複数の収容部屋に仕切られたコンテナにおいて、各収容部屋からカンバンを容易に取り出し可能なコンテナを提供する。【解決手段】本発明のコンテナ１０における１対の内側面２２Ａ，２２Ａには、上下方向の中間に段差部３０Ｄ，３０Ｄが設けられ、その段差部３０Ｄの上面がカード載置部３０とされ、段差部３０Ｄより下側に複数の縦溝３１を陥没形成されている。そして、縦溝３１に両側部が係合した複数の仕切板１１によってコンテナ１０内が複数の収容部屋１０Ｒに仕切られ、各収容部屋１０Ｒに荷物４０と共にカンバン４１を収容される。そして、カンバン４１の両側部がカード載置部３０に載置されて、収容部屋１０Ｒの上側位置で安定し、これにより、必要に応じてカンバン４１を摘んで収容部屋１０Ｒから容易に取り出すことができる。【選択図】図５
2010030604.tif 000002
【特許請求の範囲】
【請求項１】
仕切板にて内部が複数の収容部屋に仕切られ、それら収容部屋毎に荷物と共に前記荷物の情報を記載したカードを収容可能なコンテナにおいて、
互いに対向した１対の内側面に、前記仕切板の両側縁部が係合した縦溝と、前記カードの両側部を載置可能なカード載置部とを形成しかつ、前記カード載置部を前記各収容部屋の上下方向の中間に配置したことを特徴とするコンテナ。
【請求項２】
前記縦溝は、前記仕切板の上下方向の中間より下側部分にのみ係合するように配置され、前記仕切板の上下方向の中間より上側部分を湾曲変形させて前記収容部屋の上面開口を拡開可能としたことを特徴とする請求項１に記載のコンテナ。
【請求項３】
前記１対の内側面における上下方向の中間に段差部を設けて、前記段差部より下側で前記内側面同士を接近させた構造とし、
前記段差部の上面を前記カード載置部とし、
前記縦溝を前記段差部より下側の前記内側面に陥没形成したことを特徴とする請求項１又は２に記載のコンテナ。
【請求項４】
前記仕切板の上縁部には、前記カードに記載された情報を視認可能とするための切り欠き部が形成されていることを特徴とする請求項１乃至３の何れかに記載のコンテナ。
【請求項５】
前記カードの上縁部が、前記仕切板より上方に位置するように、前記カード載置部から前記仕切板の上縁部までの高さを設定したことを特徴とする請求項１乃至４の何れかに記載のコンテナ。
【発明の詳細な説明】
【技術分野】
【０００１】
本発明は、内部が複数の収容部屋に仕切られたコンテナに関する。
【背景技術】
【０００２】
コンテナを用いて搬送される荷物を、所謂、カンバン方式で管理する場合には、荷物に係る情報を記載したカード即ちカンバンがコンテナと共に搬送される。ここで、コンテナに収容した複数の荷物全体を１つのカンバンで管理する場合には、例えば、外側面にカンバン保持用のカードホルダを備えたコンテナが用いられる（例えば、特許文献１参照）。また、コンテナに収容した複数の荷物を複数のカンバンで管理する場合には、例えば、内部を複数の収容部屋に仕切ったコンテナが用いられ、カンバンが各収容部屋に荷物と共に収容される（例えば、特許文献２参照）。
【特許文献１】特開２００７−１３７４７９号公報（段落［００１７］、第１図、第２図）
【特許文献２】実開平５−９５８４２号公報（第１図）
【発明の開示】
【発明が解決しようとする課題】
【０００３】
ところで、上記したようにカード（カンバン）を用いて荷物を管理する場合には、カードを容易に取り出し可能な状態に維持することが求められる。ところが、複数の収容部屋に仕切られた従来のコンテナでは、カンバンが収容部屋の底部に収容されて取り出し難くなる事態が生じ得た。
【０００４】
本発明は、上記事情に鑑みてなされたもので、内部が複数の収容部屋に仕切られたコンテナにおいて、各収容部屋からカンバンを容易に取り出し可能なコンテナの提供を目的とする。
【課題を解決するための手段】
【０００５】
上記目的を達成するためになされた請求項１の発明に係るコンテナは、仕切板にて内部が複数の収容部屋に仕切られ、それら収容部屋毎に荷物と共に荷物の情報を記載したカードを収容可能なコンテナにおいて、互いに対向した１対の内側面に、仕切板の両側縁部が係合した縦溝と、カードの両側部を載置可能なカード載置部とを形成しかつ、カード載置部を各収容部屋の上下方向の中間に配置したところに特徴を有する。
【０００６】
請求項２の発明は、請求項１に記載のコンテナにおいて、縦溝は、仕切板の上下方向の中間より下側部分にのみ係合するように配置され、仕切板の上下方向の中間より上側部分を湾曲変形させて収容部屋の上面開口を拡開可能としたところに特徴を有する。
【０００７】
請求項３の発明は、請求項１又は２に記載のコンテナにおいて、１対の内側面における上下方向の中間に段差部を設けて、段差部より下側で内側面同士を接近させた構造とし、段差部の上面をカード載置部とし、縦溝を段差部より下側の内側面に陥没形成したところに特徴を有する。
【０００８】
請求項４の発明は、請求項１乃至３の何れかに記載のコンテナにおいて、仕切板の上縁部には、カードに記載された情報を視認可能とするための切り欠き部が形成されているところに特徴を有する。
【０００９】
請求項５の発明は、請求項１乃至４の何れかに記載のコンテナにおいて、カードの上縁部が、仕切板より上方に位置するように、カード載置部から仕切板の上縁部までの高さを設定したところに特徴を有する。
【発明の効果】
【００１０】
［請求項１の発明］
請求項１のコンテナによれば、仕切板にて仕切られた複数の収容部屋にそれぞれ荷物を挿入すると、各荷物は、収容部屋の内側面によって四方を囲まれた状態になって安定する。そして、各収容部屋に荷物の情報を記載したカードを収容したときに、各収容部屋の上下方向の中間に位置したカード載置部にカードの両側部が載置されると共に、各カードが厚さ方向で収容部屋の内面と荷物との間に挟まれてカード載置部から起立した状態に維持される。これにより、各カードが各収容部屋の上側位置で安定し、必要に応じてカードを摘んで収容部屋から容易に取り出すことができる。
【００１１】
［請求項２の発明］
請求項２のコンテナによれば、仕切板の上側部分を湾曲変形させて収容部屋の上面開口を拡開することができるので、収容部屋に対する荷物及びカードの挿入作業及び取り出し作業を容易に行うことができる。
【００１２】
［請求項３の発明］
上記仕切板が係合した縦溝は、コンテナの内側面に陥没形成してもよいし、コンテナの内側面に突出形成した１対の縦リブの間を縦溝としてもよい。また、カード載置部は、コンテナの内側面から突出した横リブの上面であってもよいし、コンテナの内側面に形成した段差部の上面であってもよい。そして、請求項３の構成のように、コンテナの１対の内側面に段差部を設け、その段差部の上面をカード載置部とし、縦溝を段差部より下側の内側面に陥没形成すれば、縦リブ及び横リブにて縦溝及びカード載置部を構成した場合に比べて簡素な構造にすることができる。
【００１３】
［請求項４の発明］
請求項４の構成によれば、カードを収容部屋に収容した状態のままで、カードに記載された情報を仕切板の切り欠き部を通して取得することができる。
【００１４】
［請求項５の発明］
請求項５の構成によれば、カードを収容部屋に収容した状態で、カードの上縁部が仕切板より上方に位置するので、カードを収容部屋に収容した状態のままで、カードの上縁部に記載された情報を取得することができる。
【発明を実施するための最良の形態】
【００１５】
以下、本発明の一実施形態を図１〜図５に基づいて説明する。図１に示すように、本実施形態のコンテナ１０は、上面開放の直方体形状をなし、平面形状（上方から見た形状）が長方形になっている。コンテナ１０のうち平面形状長方形の短辺を構成する第１の側壁２１，２１には、その外面下端部に持ち手部２４が陥没形成されている。また、コンテナ１０のうち平面形状長方形の長辺を構成する第２の側壁２２，２２には、その外面上寄り位置に外側ラベル貼付凹部２５が陥没形成されている。この外側ラベル貼付凹部２５には、必要に応じて例えばコンテナ１０を所有する会社名を記載したラベルが貼り付けられる。
【００１６】
第２の側壁２２，２２の内側面２２Ａ，２２Ａにおける上下方向の中間には、図４に示すように、段差部３０Ｄ，３０Ｄが形成されている。段差部３０Ｄは、図３に示すように、内側面２２Ａにおける上下方向の略中央に位置し、段差部３０Ｄ，３０Ｄより下側で、内側面２２Ａ，２２Ａ同士が接近している。
【００１７】
第１の側壁２１，２１の内側面２１Ａ，２１Ａにおける上下方向の略中央にも段差部２８，２８が形成され、段差部２８，２８より下側で、内側面２１Ａ，２１Ａ同士が接近している。そして、第１の側壁２１における段差部２８の上面と第２の側壁２２における段差部３０Ｄの上面とが、面一になって連続している。即ち、コンテナ１０は、内側面全体が段差部２８，３０Ｄによって上下方向で２分された構造になっている。
【００１８】
第２の側壁２２，２２のうち段差部３０Ｄより下側の内側面２２Ａには、複数の縦溝３１が等間隔に配置されて形成されている。また、各縦溝３１の上端部は、上方に向かって徐々に幅広になって段差部３０Ｄの上面で開放している。そして、段差部３０Ｄのうち縦溝３１の上面開口を除いた部分が、本発明に係るカード載置部３０になっている。
【００１９】
各縦溝３１は、内側面２２Ａ，２２Ａの下端部まで延びている。そして、図４に示すように、第２の側壁２２，２２の間で対向した１対の縦溝３１，３１毎に、仕切板１１の両側縁部が上方からそれぞれ挿入されている。これにより、図１に示すように、コンテナ１０内で複数の仕切板１１が平行かつ等間隔に並べた状態になり、それら複数の仕切板１１によってコンテナ１０の内部が複数の収容部屋１０Ｒに仕切られている。
【００２０】
なお、仕切板１１及びコンテナ１０のうち仕切板１１を除くコンテナ本体２０は共に樹脂の成形品であると共に、仕切板１１には、コンテナ本体２０より可撓性が高い樹脂が使用されている。
【００２１】
図２に示すように、仕切板１１は全体が四角形になっており、その上縁部における中央に横長の長方形の切り欠き部１２が形成されている。そして、仕切板１１は、図４に示すように、縦溝３１の下端部まで挿入されてコンテナ１０の底壁２３に突き当てられ、複数の仕切板１１の上端部は、コンテナ１０における段差部３０Ｄの上面と第１の側壁２１，２２の上面との中間に位置している。
【００２２】
各収容部屋１０Ｒには、１つの荷物４０と１枚のカンバン４１（本発明に係る「カード」に相当する）とがセットにされてそれぞれ収容される。荷物４０は、例えば、図２に示すように、矩形の厚板構造をなしている。その荷物４０の厚さは、収容部屋１０Ｒにおける仕切板１１，１１同士の対向方向の広さより若干小さくなっており、荷物４０の高さは仕切板１１の高さより若干高くなっており、さらに、荷物４０の横幅は、コンテナ１０における段差部３０Ｄ，３０Ｄより下方の内側面２２Ａ，２２Ａ同士の間隔より若干小さくなっている。
【００２３】
カンバン４１は、例えば、紙製のカードであって、図２に示すように、横長の長方形状になっている。カンバン４１の高さは段差部３０Ｄから仕切板１１の上端部までの高さより若干高くなっており、カンバン４１の横の長さは、コンテナ１０における段差部３０Ｄ，３０Ｄより上方の内側面２２Ａ，２２Ａ同士の間隔より若干小さくなっている。
【００２４】
カンバン４１には、荷物４０の情報が記載されている。具体的には、図１に示すように、カンバン４１の下縁部には、例えば、荷物４０の製造工場と、荷物４０の表品番号のバーコードとが記載されている。また、カンバン４１の上部中央には、例えば、荷物４０の搬送先である工場名「＊＊＊＊」と、ライン番号「１２３４」と荷物の製品名称「○×△」とを上下に並記した主要情報記載部４２が設けられている。
【００２５】
なお、各第１の側壁２１の内側面２１Ａにおける段差部２８より上方部分には、その横方向の中央に逃がし凹部２７が陥没形成されている。また、各第２の側壁２２の内側面２２Ａにおける上縁部には、内側ラベル貼付凹部２６が形成されている。この内側ラベル貼付凹部２６には、コンテナ１０内においてカンバン４１の向きを統一するために、カンバン４１の表示方向を矢印で示したラベル２６Ｌ（図４参照）が貼り付けられる。
【００２６】
本実施形態のコンテナ１０の構成に関する説明は以上である。次に、このコンテナ１０の作用効果について説明する。コンテナ１０の各収容部屋１０Ｒには、荷物４０及びカンバン４１のどちらを先に挿入してもよいし、荷物４０とカンバン４１とを重ねて同時に挿入してもよい。以下、例えば、荷物４０、カンバン４１の順番で収容部屋１０Ｒに挿入される場合について説明する。
【００２７】
荷物４０が収容部屋１０Ｒに挿入されると、コンテナ１０の底壁２３に当接すると共に、四方を収容部屋１０Ｒの内面に囲まれて起立した状態に保持される。また、図４に示すように、荷物４０の上端部が、仕切板１１の上縁部より上方に突出した状態になる。
【００２８】
次いで、カンバン４１が収容部屋１０Ｒに挿入されると、図５に示すように、各収容部屋１０Ｒの上下方向の中間に位置したカード載置部３０にカンバン４１の両側部が載置され、図４に示すように、各カンバン４１が厚さ方向で収容部屋１０Ｒの内面（仕切板１１，１１同士の対向面、又は、仕切板１１と第１の側壁２１との対向面）と荷物４０との間に挟まれてカード載置部３０から起立した状態に維持される。これにより、各カンバン４１が各収容部屋１０Ｒの上側位置で安定すると共に、必要に応じてカンバン４１を摘んで収容部屋１０Ｒから容易に取り出すことができる。そして、カンバン４１が収容部屋１０Ｒに収容されると、そのカンバン４１の上縁部が仕切板１１から上方に突出し、主要情報記載部４２の下端部が仕切板１１における切り欠き部１２に重なった状態になる。これにより、カンバン４１を収容部屋１０Ｒから抜かずにカンバン４１の上縁部及び主要情報記載部４２に記載された情報を取得することができる。
【００２９】
なお、カンバン４１を荷物４０より先に収容部屋１０Ｒに挿入した場合、カンバン４１の高さ方向の中間部分に、仕切板１１の上縁部が当接するか、或いは、カンバン４１の上縁部が第１の側壁２１の内側面２１Ａに当接して、カンバン４１が、カード載置部３０から斜めに上方に起立した状態に維持される。これにより、カンバン４１に次いで荷物４０を挿入する際に、容易にカンバン４１を直立姿勢に姿勢変更して退避させることができ、荷物４０を収容部屋１０Ｒに容易に挿入することができる。
【００３０】
また、本実施形態のコンテナ１０では、仕切板１１のうち中間より下側部分にのみ縦溝３１が係合しているので、仕切板１１の上側部分を湾曲変形させて収容部屋１０Ｒの上面開口を拡開することができる。これにより、収容部屋１０Ｒに対する荷物４０及びカンバン４１の挿入作業及び取り出し作業を容易に行うことができる。
【００３１】
しかも、第１の側壁２１の内側面２１Ａには、上下方向の中間に段差部２８が設けられているので、荷物４０の上側部分と第１の側壁２１との間に隙間が形成され、さらにその隙間を広げるように第１の側壁２１に逃がし凹部２７が形成されているので、荷物４０と第１の側壁２１との間に指を挿入することができ、コンテナ１０の端部に収容された荷物４０も容易に取り出すことができる。
【００３２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３３】
（１）前記実施形態では、縦溝３１が仕切板１１の下側部分にのみ係合し、仕切板１１の上側部分が可撓変形可能になっていたが、仕切板の上下方向全体に縦溝が係合して、仕切板を可撓変形不能にしてもよい。具体的には、図６に示すように、前記第１実施形態で説明した段差部３０Ｄの上面における縦溝３１の開口縁から上方に１対の縦リブ３２，３２を延ばして、それら縦リブ３２，３２の間の縦溝３１を段差部３０Ｄに陥没形成した縦溝３１に連通させ、縦溝３１が仕切板１１の側部全体に係合するようにしてもよい。
【００３４】
（２）上記段差部３０Ｄを設ける代わりに、図７及び図８に示すように、横リブ３３を設け、その横リブ３３の上面をカード載置部３０Ｖとしてもよい。この場合、横リブ３３を成形するための金型の抜き孔２３Ａを底壁２３に設ければよい。但し、上記実施形態のようにコンテナ１０の内側面２２Ａに段差部３０Ｄを設け、段差部３０Ｄの上面をカード載置部３０としかつ段差部３０Ｄに縦溝３１を陥没形成すれば、縦リブ及び横リブによって縦溝及びカード載置部を構成した場合に比べて本発明に係るコンテナを簡素な構造にすることができる。
【００３５】
（３）前記実施形態のコンテナ１０の底面は平坦であったが、例えば、円盤状の荷物を収容するためにコンテナの底面を円弧形状にしてもよい。
【００３６】
（４）前記実施形態のコンテナ１０では、縦溝３１が連続して上下方向に延びていたが、縦溝を上下方向に間欠的に設けてもよい。
【００３７】
（５）また、コンテナの底面にも仕切板を差し込む溝を設けてもよい。
【図面の簡単な説明】
【００３８】
【図１】本発明の一実施形態に係るコンテナの斜視図
【図２】コンテナ本体から仕切板を抜いた状態の斜視図
【図３】コンテナ本体の斜視図
【図４】コンテナの一部を破断した斜視図
【図５】コンテナの一部を破断した斜視図
【図６】変形例に係るコンテナの一部を示した斜視図
【図７】変形例に係るコンテナの一部を示した斜視図
【図８】変形例に係るコンテナの一部を示した斜視図
【符号の説明】
【００３９】
１０    コンテナ
１０Ｒ    収容部屋
１１    仕切板
１２    切り欠き部
２２Ａ  内側面
３０，３０Ｖ    カード載置部
３０Ｄ    段差部
３１    縦溝
４０    荷物
４１    カンバン（カード）
４２    主要情報記載部
【図１】
2010030604.tif 000003
【図２】
2010030604.tif 000004
【図３】
2010030604.tif 000005
【図４】
2010030604.tif 000006
【図５】
2010030604.tif 000007
【図６】
2010030604.tif 000008
【図７】
2010030604.tif 000009
【図８】
2010030604.tif 000010